(57)【要約】      （修正有）【課題】送風と加湿の両機能を兼ね備え、これら機能の単独使用及び同時使用が可能な気流ファン・加湿器両用装置を提供する。【解決手段】ハウジング１１、１２と、ハウジング１１、１２内に設けられる気流ファン及び加湿器を含み、気流ファンは加湿器の送風口に設けられており、加湿器は、送風機モジュール、タンク３１、送風グリル３２及び加湿芯３３を含み、送風機モジュールは、互いに接続される第２モータ３４と第２羽根３５を含み、第２羽根３５は水平に設けられるとともに気流ファンの底部に対応しており、送風グリルは第２羽根３５の前部に設けられており、タンク３１の下部には水槽３６が設けられており、タンク３１内の水が導流装置３７を通じて水槽３６へと流れ込み、加湿芯３３の下端は水槽３６内の水に浸されている。【選択図】図１
0003219311.tif 000002
【実用新案登録請求の範囲】
【請求項１】
ハウジング（１）と、前記ハウジング（１）内に設けられる気流ファン（２）及び加湿器（３）を含み、前記気流ファン（２）は前記加湿器（３）の送風口に設けられており、
前記気流ファン（２）は、第１モータ（２１）、風路（２２）及び前記第１モータ（２１）に接続される第１羽根（２３）を含み、
前記加湿器（３）は、送風機モジュール、タンク（３１）、送風グリル（３２）及び加湿芯（３３）を含み、前記送風機モジュールは、互いに接続される第２モータ（３４）と第２羽根（３５）を含み、前記第２羽根（３５）は、水平に設けられるとともに気流ファン（２）の底部に対応しており、前記送風グリル（３２）は前記第２羽根（３５）の前部に設けられており、前記タンク（３１）の下部には水槽（３６）が設けられており、前記タンク（３１）内の水が導流装置（３７）を通じて前記水槽（３６）へと流れ込み、前記加湿芯（３３）の下端は前記水槽（３６）内の水に浸されていることを特徴とする気流ファン・加湿器両用装置。
【請求項２】
前記ハウジング（１）は上ハウジング（１１）と下ハウジング（１２）を含み、前記上ハウジング（１１）には気流ファン（２）の送風口として用いられる第１開口（１１１）が開設されており、
前記下ハウジング（１２）におけるタンク（３１）と反対の側には第２開口（１２１）が開設されており、前記第２開口（１２１）には吸気グリル（１３）が装着されており、前記吸気グリル（１３）には複数の吸気メッシュ（１３１）が開設されていることを特徴とする請求項１に記載の気流ファン・加湿器両用装置。
【請求項３】
前記気流ファン（２）は回転モジュール（２４）を介して前記上ハウジング（１１）に回動接続されており、前記回転モジュール（２４）は、気流ファン（２）が上下又は左右に回動可能となるよう、前記上ハウジング（１１）の左右両側又は上下両側に設けられていることを特徴とする請求項２に記載の気流ファン・加湿器両用装置。
【請求項４】
前記回転モジュール（２４）は、中空スタッドボルト、回転ホルダ、回動部材、シリコーンパッド及びナットを含み、前記中空スタッドボルトを前記ナットに挿通することで、回転ホルダ、シリコーンパッド及びナットが一体的に装着され、前記回動部材の回動力がシリコーンパッドの摩擦力を超えると回動可能となることを特徴とする請求項３に記載の気流ファン・加湿器両用装置。
【請求項５】
前記送風グリル（３２）の上部には固定フレームが設けられており、前記気流ファン（２）は回転軸を介して前記固定フレームに回動接続されることを特徴とする請求項２に記載の気流ファン・加湿器両用装置。
【請求項６】
前記加湿器（３）は更に発熱体（３８）を含み、前記発熱体（３８）は前記吸気グリル（１３）と加湿芯（３３）の間に固定されていることを特徴とする請求項２〜５のいずれかに記載の気流ファン・加湿器両用装置。
【請求項７】
前記発熱体（３８）はＰＴＣ発熱体であることを特徴とする請求項６に記載の気流ファン・加湿器両用装置。
【請求項８】
気流ファン・加湿器両用装置の底部には更に回転ベース（４）が設けられ、前記ハウジング（１）の底部が前記回転ベース（４）に装着されており、
前記回転ベース（４）は、同期モータ、クランクトレイン、上ホルダ及び底板からなり、前記同期モータが前記クランクトレインの端部に接続される上ホルダを回動させることを特徴とする請求項６に記載の気流ファン・加湿器両用装置。
【考案の詳細な説明】
【技術分野】
【０００１】
本考案は家電の技術分野に関し、より具体的には、気流ファン・加湿器両用装置に関する。
【背景技術】
【０００２】
従来の小型家電において、扇風機は一般的に送風機能のみを備えており、加湿器機能については有していない。逆に、加湿器には空気を加湿する機能のみが備わっており、送風機能は有していない。常識として、通気か室温の低下かに拘わらず、送風と加湿を同時に行えば、半分の労力で通気或いは降温効果を倍増することが可能となる。そこで、本考案は、従来技術における上記の技術的空白を補足することを目的とする。
【考案の概要】
【考案が解決しようとする課題】
【０００３】
本考案は、送風と加湿の両機能を兼ね備え、且つ、これら機能の単独使用及び同時使用が可能な気流ファン・加湿器両用装置を提供することを解決すべき技術的課題とする。
【課題を解決するための手段】
【０００４】
本考案の技術解決方案は以下の通りである。
【０００５】
本考案は、ハウジングと、前記ハウジング内に設けられる気流ファン及び加湿器を含み、前記気流ファンは前記加湿器の送風口に設けられており、前記気流ファンは、第１モータ、風路及び前記第１モータに接続される第１羽根を含み、前記加湿器は、送風機モジュール、タンク、送風グリル及び加湿芯を含み、前記送風機モジュールは、互いに接続される第２モータと第２羽根を含み、前記第２羽根は水平に設けられるとともに気流ファンの底部に対応しており、前記送風グリルは前記第２羽根の前部に設けられており、前記タンクの下部には水槽が設けられており、前記タンク内の水が導流装置を通じて前記水槽へと流れ込み、前記加湿芯の下端は前記水槽内の水に浸されている気流ファン・加湿器両用装置を提供する。
【０００６】
更に、前記ハウジングは上ハウジングと下ハウジングを含み、前記上ハウジングには気流ファンの送風口として用いられる第１開口が開設されており、前記下ハウジングにおけるタンクと反対の側には第２開口が開設されており、前記第２開口には吸気グリルが装着されており、前記吸気グリルには複数の吸気メッシュが開設されている。
【０００７】
更に、前記気流ファンは回転モジュールを介して前記上ハウジングに回動接続されており、前記回転モジュールは、気流ファンが上下又は左右に回動可能となるよう、前記上ハウジングの左右両側又は上下両側に設けられている。
【０００８】
更に、前記回転モジュールは、中空スタッドボルト、回転ホルダ、回動部材、シリコーンパッド及びナットを含み、前記中空スタッドボルトを前記ナットに挿通することで、回転ホルダ、シリコーンパッド及びナットが一体的に装着され、前記回動部材の回動力がシリコーンパッドの摩擦力を超えると回動可能となる。
【０００９】
更に、前記送風グリルの上部には固定フレームが設けられており、前記気流ファンは回転軸を介して前記固定フレームに回動接続される。
【００１０】
更に、前記加湿器は更に発熱体を含み、前記発熱体は前記吸気グリルと加湿芯の間に固定されている。
【００１１】
更に、前記発熱体はＰＴＣ発熱体である。
【００１２】
更に、気流ファン・加湿器両用装置の底部には更に回転ベースが設けられ、前記ハウジングの底部が前記回転ベースに装着されており、前記回転ベースは、同期モータ、クランクトレイン、上ホルダ及び底板からなり、前記同期モータが前記クランクトレインの端部に接続される上ホルダを回動させる。
【考案の効果】
【００１３】
本考案における気流ファン・加湿器両用装置を実施すれば、以下の有益な効果が得られる。即ち、気流ファンと加湿器の機能を兼ね備えているため、気流ファンとしての単独使用及び加湿器としての単独使用が可能であるほか、これらを同時に使用することも可能である。これらを同時に使用する際には加湿器から発生した霧が気流ファンから吹き出される旋風の作用を受けるため、部屋の加湿量の均一化が加速される。よって、加湿量がより増大するとともに、加湿が更に均一化されるとの効果が得られる。
【００１４】
以下に、図面と実施例を組み合わせて本考案につき更に説明する。
【図面の簡単な説明】
【００１５】
【図１】図１は、本考案における気流ファン・加湿器両用装置の断面図である。
【図２】図２は、本考案の気流ファン・加湿器両用装置における回転モジュールの構造を示す図である。
【図３】図３は、本考案の気流ファン・加湿器両用装置における底部に回転ベースを追加した場合の構造を示す図である。
【図４】図４は、本考案における気流ファン・加湿器両用装置の使用状態を示す図である。
【図５】図５は、本考案の気流ファン・加湿器両用装置における気流ファンが上方に回転した場合を示す図である。
【考案を実施するための形態】
【００１６】
図１〜図５は本考案における気流ファン・加湿器両用装置の好ましい実施例を示す。当該装置は、ハウジング１と、ハウジング１内に設けられる気流ファン２及び加湿器３を含み、気流ファン２は加湿器３の送風口に設けられている。気流ファン２は、第１モータ２１、風路２２及び第１モータ２１に接続される第１羽根２３を含む。加湿器３は、送風機モジュール、タンク３１、送風グリル３２及び加湿芯３３を含む。送風機モジュールは、互いに接続される第２モータ３４と第２羽根３５を含む。第２羽根３５は水平に設けられるとともに、気流ファン２の底部に対応している。また、送風グリル３２は第２羽根３５の前部に設けられている。タンク３１の下部には水槽３６が設けられており、タンク３１内の水が導流装置３７を通じて水槽３６へと流れ込む。加湿芯３３の下端は水槽３６内の水に浸されている。また、導流装置３７はタンク３１と水槽３６を接続する中間装置である。本実施例において、気流ファン２と加湿器３はそれぞれ独立して設けられている。これらは単独で使用することも同時に使用することも可能である。気流ファン２は加湿器３の上部に位置している。加湿器３から発生した湿潤空気は気流ファン２の風路２２に排出される。外気は加湿芯３３を経由して加湿器３の内部に進入し、第２モータ３４が第２羽根３５を煽ることで送風グリル３２から排出される。これにより、空気が水分を含んだ湿潤空気となって室内に排出され、付近の空気湿度を変化させられるため、生活環境が改善される。なお、加湿器３内での空気の流動については図１の矢印で示す通りである。空気は加湿工程を経た後、気流ファン２に進入する。気流ファン２と加湿器３を同時に使用する場合には、加湿器３から発生した霧が気流ファン２の風力を受けることで加湿量がより増大し、加湿が更に均一化する。なお、言うまでもなく、本考案の気流ファン・加湿器両用装置では気流ファン２を単独で使用してもよい。この場合、加湿器３は動作せず、送風により暑さを凌ぐ通常の扇風機として使用される。加湿芯３３の材質は紙又は布とし、下端を水槽３６内の水に浸す。また、加湿芯３３の一方の側はタンク３１となっている。タンク３１内の水は導流装置３７を通じて水槽３６内に流れ込み、加湿芯３３に水を供給する。
【００１７】
本実施例において、ハウジング１は上ハウジング１１と下ハウジング１２を含み、上ハウジング１１には気流ファン２の送風口として用いられる第１開口１１１が開設されている。また、下ハウジング１２におけるタンク３１と反対の側には第２開口１２１が開設されている。第２開口１２１には吸気グリル１３が装着されており、吸気グリル１３には複数の吸気メッシュ１３１が開設されている。
【００１８】
本実施例における気流ファン２の固定方式は２種類存在する。第１の固定方式では、気流ファン２が回転モジュール２４を介して上ハウジング１１に回動接続される。回転モジュール２４は、気流ファン２が上下又は左右に回動可能となるよう、上ハウジング１１の左右両側又は上下両側に設けられる。回転モジュール２４は、中空スタッドボルト、回転ホルダ、回動部材、シリコーンパッド及びナットを含む。中空スタッドボルトをナットに挿通することで、回転ホルダ、シリコーンパッド及びナットが一体的に装着され、回動部材の回動力がシリコーンパッドの摩擦力を超えると回動可能となる。また、外力が０になると、シリコーンパッドと回動部材の間には摩擦力が存在するため、元の位置から変動しないよう保持される。これにより、気流ファン２の上下又は左右への回動を実現し、送風の方向及び角度を調節する。
【００１９】
また、気流ファン２の第２の固定方式では、送風グリル３２の上部に固定フレームを設け、回転軸を介して気流ファン２を固定フレームに回動接続する。この場合にも、気流ファン２により気流方向を調整するとの作用を達成可能である。
【００２０】
本実施例における加湿器３は更に発熱体３８を含む。発熱体３８は、吸気グリル１３と加湿芯３３の間に固定される。発熱体３８を加湿芯３３の手前に配置し、加熱した気流を加湿芯３３に通過させるため、水の蒸発効果が向上する結果、加湿量が増大する。好ましくは、発熱体３８をＰＴＣ発熱体とする。ＰＴＣセラミック発熱素子とアルミ管を用いて構成すれば、熱抵抗が小さく、放熱性能が良好であるとともに、熱交換効率が高く、且つ安全・確実との利点を有する自動恒温且つ省電力の電気ヒーターとなる。なお、言うまでもなく、電熱線、炭素線維、石英、セラミックスといったその他の発熱体を使用してもよく、これらの場合にも空気の加熱効果が達成される。
【００２１】
本実施例における気流ファン・加湿器両用装置の底部には更に回転ベース４が設けられ、ハウジング１の底部が回転ベース４に装着されている。回転ベース４は、同期モータ、クランクトレイン、上ホルダ及び底板からなり、同期モータがクランクトレインの端部に接続される上ホルダを回動させる。気流ファン・加湿器両用装置を電動回転させるべく、底部には回転ベース４が設けられていることから、ユーザの使用ニーズに応じて回転させながら送風及び加湿を行うことが可能となる。よって、使用形式がより多様化する。
【００２２】
本考案における気流ファン・加湿器両用装置によれば、気流ファンと加湿器の機能を兼ね備えているため、気流ファンとしての単独使用及び加湿器としての単独使用が可能であるほか、これらを同時に使用することも可能である。これらを同時に使用する際には、加湿器から発生した霧が気流ファンから吹き出される旋風の作用を受けるため、部屋の加湿量の均一化が加速される。よって、加湿量がより増大するとともに、加湿が更に均一化されるとの効果が得られる。
【００２３】
以上は本考案の好ましい実施例にすぎず、当業者であれば、本考案の思想に基づき、具体的実施形態及び応用の範囲において様々な変形を実施可能である。また、これらの変形は本考案の思想を逸脱しない限り、いずれも本考案の保護の範囲に属する。
【図１】
0003219311.tif 000003
【図２】
0003219311.tif 000004
【図３】
0003219311.tif 000005
【図４】
0003219311.tif 000006
【図５】
0003219311.tif 000007